【手続補正書】
【提出日】平成26年9月3日(2014.9.3)
【手続補正１】
【補正対象書類名】特許請求の範囲
【補正対象項目名】全文
【補正方法】変更
【補正の内容】
【特許請求の範囲】
【請求項１】
頭部固定システムであって、
上側および下側表面を有する架台と、
前記架台の前記上側表面に動作可能に連結されているリング搭載部と、
前記リング搭載部に回転可能に連結されている固定リングであって、前記固定リングは、前記固定リングの円周回りに延在する複数の固定リングスロットを含む、固定リングと、
前記固定リングスロットのうちの第１のスロット内に受け取り可能な第１の固定支柱と、
前記固定リングスロットのうちの第２のスロット内に受け取り可能な第２の固定支柱と
を備えている、頭部固定システム。
【請求項２】
前記固定リングスロットのうちの第３のスロット内に挿入するために構築された頭部支持部をさらに備えている、請求項１に記載の頭部固定システム。
【請求項３】
さらに、前記固定支柱は、前記固定支柱を通る少なくとも１つの固定支柱開口を含む、請求項１に記載の頭部固定システム。
【請求項４】
患者の頭蓋骨との係合のために、前記少なくとも１つの固定支柱開口によって受け取り可能な少なくとも１つの固定ピンをさらに備えている、請求項３に記載の頭部固定システム。
【請求項５】
前記少なくとも１つの固定支柱開口は、複数の固定支柱開口を含む、請求項３に記載の頭部固定システム。
【請求項６】
前記複数の開口のうちの少なくとも１つによって受け取り可能な複数の固定ピンをさらに備えている、請求項５に記載の頭部固定システム。
【請求項７】
前記架台に取り外し可能に連結されている移動板をさらに備えている、請求項１に記載の頭部固定システム。
【請求項８】
前記架台に連結されているコイル支持部をさらに備えている、請求項１に記載の頭部固定システム。
【請求項９】
前記リング搭載部は、第１および第２のコイルトラックをさらに備えている、請求項１に記載の頭部固定システム。
【請求項１０】
前記架台に除去可能に搭載される上部コイル部材および底部コイル部材を有するＭＲＩコイルであって、前記ＭＲＩコイルは、前記固定リングに対して、かつそれから独立して回転可能である、ＭＲＩコイルをさらに備えている、請求項１に記載の頭部固定システム。
【請求項１１】
前記第１のコイルトラックと回転可能に係合可能な上部コイル部材と、前記第２のコイルトラックと回転可能に係合可能な底部コイル部材とを有するＭＲＩコイルをさらに備えている、請求項９に記載の頭部固定システム。
【請求項１２】
前記頭部固定リングは、前記頭部固定リングの縁上に、全周に位置付けられている複数の固定リング開口を含む、請求項１に記載の頭部固定システム。
【請求項１３】
前記複数の固定リング開口のうちの１つ以上によって受け取り可能な１つ以上のリング係止部をさらに備えている、請求項１２に記載の頭部固定システム。
【請求項１４】
前記上部コイル部材は、前記底部コイル部材上の対応するピンスロットと嵌合可能な１つ以上の整列ピンを含む、請求項１０または１１に記載の頭部固定システム。
【請求項１５】
前記底部コイル部材は、前記ＭＲＩコイルをＭＲＩシステムに接続するためのコネクタ手段を含む、請求項１０または１１に記載の頭部固定システム。
【請求項１６】
前記コイル支持部は、前記ＭＲＩコイルを定位置に係止するための１つ以上のコイル係止デバイスをさらに備えている、請求項１０に記載の頭部固定システム。
【請求項１７】
頭部固定システムであって、
上側および下側表面を有する架台と、
前記架台の前記上側表面に動作可能に連結されているリング搭載部と、
前記リング搭載部によって回転可能に受け取られる固定リングであって、前記固定リングは、前記固定リングの円周回りに延在する複数の固定リングスロットを含む、固定リングと、
前記固定リングスロットのうちの第１のスロット内に受け取り可能な第１の固定支柱であって、前記第１の固定支柱は、患者の頭蓋骨との係合のための第１の固定ピンを含む、第１の固定支柱と、
前記固定リングスロットのうちの第２のスロット内に受け取り可能な第２の固定支柱であって、前記第２の固定支柱は、患者の頭蓋骨との係合のための第２の固定ピンを含む、第２の固定支柱と、
前記架台によって回転可能に受け取られ、かつそれに除去可能に搭載されるＭＲＩコイルであって、前記ＭＲＩコイルは、前記固定リングに対して、かつそれから独立して回転可能である、ＭＲＩコイルと
を備えている、頭部固定システム。
【請求項１８】
前記固定リングスロットのうちの第３のスロット内に挿入するために構築された頭部支持部をさらに備えている、請求項１７に記載の頭部固定システム。
【請求項１９】
さらに、前記固定支柱は、前記固定支柱を通る少なくとも１つの固定支柱開口を含む、請求項１７に記載の頭部固定システム。
【請求項２０】
患者の頭蓋骨との係合のために、前記少なくとも１つの固定支柱開口によって受け取り可能な少なくとも１つの固定ピンをさらに備えている、請求項１９に記載の頭部固定システム。
【請求項２１】
前記少なくとも１つの固定支柱開口は、複数の固定支柱開口を含む、請求項１９に記載の頭部固定システム。
【請求項２２】
前記複数の開口のうちの少なくとも１つによって受け取り可能な複数の固定ピンをさらに備えている、請求項２１に記載の頭部固定システム。
【請求項２３】
前記架台に取り外し可能に連結されている移動板をさらに備えている、請求項１７に記載の頭部固定システム。
【請求項２４】
前記架台に連結されているコイル支持部をさらに備えている、請求項１に記載の頭部固定システム。
【請求項２５】
前記リング搭載部は、第１および第２のコイルトラックをさらに備えている、請求項１７に記載の頭部固定システム。
【請求項２６】
前記ＭＲＩコイルは、上部コイル部材および底部コイル部材を含み、前記上部および底部コイル部材は、前記第１および第２のコイルトラックによって回転可能に受け取られる、請求項２５に記載の頭部固定システム。
【請求項２７】
前記頭部固定リングは、前記頭部固定リングの縁上に、全周に位置付けられている複数の固定リング開口を含む、請求項１７に記載の頭部固定システム。
【請求項２８】
前記複数の固定リング開口のうちの１つ以上によって受け取り可能な１つ以上のリング係止部をさらに備えている、請求項２７に記載の頭部固定システム。
【請求項２９】
前記コイル支持部は、前記ＭＲＩコイルを定位置に係止するための１つ以上のコイル係止デバイスをさらに備えている、請求項１０に記載の頭部固定システム。
【請求項３０】
頭部固定システムであって、
頭部固定デバイスであって、前記頭部固定デバイスは、
固定リングであって、前記固定リングは、前記固定リングの円周回りに延在する複数の固定リングスロットを有する、固定リングと、
前記固定リングスロットのうちの第１のスロット内に受け取り可能な第１の固定支柱であって、前記第１の固定支柱は、少なくとも１つの固定ピンを含む、第１の固定支柱と、
前記固定リングスロットのうちの第２のスロット内に受け取り可能な第２の固定支柱であって、前記第２の固定支柱は、少なくとも１つの固定ピンを含む、第２の固定支柱と
を備えている、頭部固定デバイスを備え、
前記頭部固定リングは、患者の頭部の周りに位置付けられるように構成されており、
前記第１の固定支柱は、前記固定リングスロットのうちの第１のスロット内に調節可能に挿入されるように構成されており、
前記第２の固定支柱は、前記固定リングスロットのうちの第２のスロット内に調節可能に挿入されるように構成されており、
前記固定ピンは、前記患者の頭部に対して位置付けられることにより、前記固定リングを前記患者の頭部に対して固定するように構成されている、
頭部固定システム。
【請求項３１】
頭部固定システムであって、
進入点に対する軌道を確立するために、患者の頭部上に位置付けられるように構成された軌道誘導部と、
頭部固定デバイスであって、前記頭部固定デバイスは、
上側および下側表面を有する架台であって、前記架台は、ＭＲＩコイル受け取りトラックを含む、架台と、
前記架台の前記上側表面に動作可能に連結されているリング搭載部と、
前記リング搭載部に回転可能に連結されている固定リングであって、前記固定リングは、前記固定リングの円周回りに延在する複数の固定リングスロットを含む、固定リングと、
前記固定リングスロットのうちの第１のスロット内に受け取り可能な第１の固定支柱と、
前記固定リングスロットのうちの第２のスロット内に受け取り可能な第２の固定支柱であって、前記固定支柱は、１つ以上の固定ピンを含む、第２の固定支柱と、
を備えており、
前記固定リングは、患者の頭部の周りに位置付けられるように構成されており、
前記第１および第２の固定支柱は、前記固定リングスロット内で調節されるように構成されており、
前記固定支柱は、前記固定ピンによって前記患者の頭部に固定されるように構成されており、
前記固定リングは、前記リング搭載部内に係止されるように構成されており、
前記固定リングは、回転させられて、前記進入点へのアクセスを提供するように構成されており、
ＭＲＩコイルは、前記ＭＲＩコイル受け取りトラック内に位置付けることによって、前記ＭＲＩコイルを前記架台に取り付けるように構成されている、
頭部固定デバイスと、
ＭＲＩスキャンを行い、前記軌道を確認するための手段と、
を含む、頭部固定システム。
【手続補正２】
【補正対象書類名】明細書
【補正対象項目名】００２３
【補正方法】変更
【補正の内容】
【００２３】
本発明は、例えば、以下を提供する：
（項目１）
頭部固定システムであって、
上側および下側表面を有する架台と、
前記架台の前記上側表面に動作可能に連結されているリング搭載部と、
前記リング搭載部に回転可能に連結されている固定リングであって、前記固定リングは、前記固定リングの円周回りに延在する複数の固定リングスロットを含む、固定リングと、
前記固定リングスロットのうちの第１のスロット内に受け取り可能な第１の固定支柱と、
前記固定リングスロットのうちの第２のスロット内に受け取り可能な第２の固定支柱と
を備えている、頭部固定システム。
（項目２）
前記固定リングスロットのうちの第３のスロット内に挿入するために構築された頭部支持部をさらに備えている、項目１に記載の頭部固定システム。
（項目３）
さらに、前記固定支柱は、前記固定支柱を通る少なくとも１つの固定支柱開口を含む、項目１に記載の頭部固定システム。
（項目４）
患者の頭蓋骨との係合のために、前記少なくとも１つの固定支柱開口によって受け取り可能な少なくとも１つの固定ピンをさらに備えている、項目３に記載の頭部固定システム。
（項目５）
前記少なくとも１つの固定支柱開口は、複数の固定支柱開口を含む、項目３に記載の頭部固定システム。
（項目６）
前記複数の開口のうちの少なくとも１つによって受け取り可能な複数の固定ピンをさらに備えている、項目５に記載の頭部固定システム。
（項目７）
前記架台に取り外し可能に連結されている移動板をさらに備えている、項目１に記載の頭部固定システム。
（項目８）
前記架台に連結されているコイル支持部をさらに備えている、項目１に記載の頭部固定システム。
（項目９）
前記リング搭載部は、第１および第２のコイルトラックをさらに備えている、項目１に記載の頭部固定システム。
（項目１０）
前記架台に除去可能に搭載される上部コイル部材および底部コイル部材を有するＭＲＩコイルであって、前記ＭＲＩコイルは、前記固定リングに対して、かつそれから独立して回転可能である、ＭＲＩコイルをさらに備えている、項目１に記載の頭部固定システム。
（項目１１）
前記第１のコイルトラックと回転可能に係合可能な上部コイル部材と、前記第２のコイルトラックと回転可能に係合可能な底部コイル部材とを有するＭＲＩコイルをさらに備えている、項目９に記載の頭部固定システム。
（項目１２）
前記頭部固定リングは、前記頭部固定リングの縁上に、全周に位置付けられている複数の固定リング開口を含む、項目１に記載の頭部固定システム。
（項目１３）
前記複数の固定リング開口のうちの１つ以上によって受け取り可能な１つ以上のリング係止部をさらに備えている、項目１２に記載の頭部固定システム。
（項目１４）
前記上部コイル部材は、前記底部コイル部材上の対応するピンスロットと嵌合可能な１つ以上の整列ピンを含む、項目１０または１１に記載の頭部固定システム。
（項目１５）
前記底部コイル部材は、前記ＭＲＩコイルをＭＲＩシステムに接続するためのコネクタ手段を含む、項目１０または１１に記載の頭部固定システム。
（項目１６）
前記コイル支持部は、前記ＭＲＩコイルを定位置に係止するための１つ以上のコイル係止デバイスをさらに備えている、項目１０に記載の頭部固定システム。
（項目１７）
頭部固定システムであって、
上側および下側表面を有する架台と、
前記架台の前記上側表面に動作可能に連結されているリング搭載部と、
前記リング搭載部によって回転可能に受け取られる固定リングであって、前記固定リングは、前記固定リングの円周回りに延在する複数の固定リングスロットを含む、固定リングと、
前記固定リングスロットのうちの第１のスロット内に受け取り可能な第１の固定支柱であって、前記第１の固定支柱は、患者の頭蓋骨との係合のための第１の固定ピンを含む、第１の固定支柱と、
前記固定リングスロットのうちの第２のスロット内に受け取り可能な第２の固定支柱であって、前記第２の固定支柱は、患者の頭蓋骨との係合のための第２の固定ピンを含む、第２の固定支柱と、
前記架台によって回転可能に受け取られ、かつそれに除去可能に搭載されるＭＲＩコイルであって、前記ＭＲＩコイルは、前記固定リングに対して、かつそれから独立して回転可能である、ＭＲＩコイルと
を備えている、頭部固定システム。
（項目１８）
前記固定リングスロットのうちの第３のスロット内に挿入するために構築された頭部支持部をさらに備えている、項目１７に記載の頭部固定システム。
（項目１９）
さらに、前記固定支柱は、前記固定支柱を通る少なくとも１つの固定支柱開口を含む、項目１７に記載の頭部固定システム。
（項目２０）
患者の頭蓋骨との係合のために、前記少なくとも１つの固定支柱開口によって受け取り可能な少なくとも１つの固定ピンをさらに備えている、項目１９に記載の頭部固定システム。
（項目２１）
前記少なくとも１つの固定支柱開口は、複数の固定支柱開口を含む、項目１９に記載の頭部固定システム。
（項目２２）
前記複数の開口のうちの少なくとも１つによって受け取り可能な複数の固定ピンをさらに備えている、項目２１に記載の頭部固定システム。
（項目２３）
前記架台に取り外し可能に連結されている移動板をさらに備えている、項目１７に記載の頭部固定システム。
（項目２４）
前記架台に連結されているコイル支持部をさらに備えている、項目１に記載の頭部固定システム。
（項目２５）
前記リング搭載部は、第１および第２のコイルトラックをさらに備えている、項目１７に記載の頭部固定システム。
（項目２６）
前記ＭＲＩコイルは、上部コイル部材および底部コイル部材を含み、前記上部および底部コイル部材は、前記第１および第２のコイルトラックによって回転可能に受け取られる、項目２５に記載の頭部固定システム。
（項目２７）
前記頭部固定リングは、前記頭部固定リングの縁上に、全周に位置付けられている複数の固定リング開口を含む、項目１７に記載の頭部固定システム。
（項目２８）
前記複数の固定リング開口のうちの１つ以上によって受け取り可能な１つ以上のリング係止部をさらに備えている、項目２７に記載の頭部固定システム。
（項目２９）
前記コイル支持部は、前記ＭＲＩコイルを定位置に係止するための１つ以上のコイル係止デバイスをさらに備えている、項目１０に記載の頭部固定システム。
（項目３０）
頭部固定システムを使用する方法であって、
頭部固定システムを提供することであって、前記頭部固定システムは、
固定リングであって、前記固定リングは、前記固定リングの円周回りに延在する複数の固定リングスロットを有する、固定リングと、
前記固定リングスロットのうちの第１のスロット内に受け取り可能な第１の固定支柱であって、前記第１の固定支柱は、少なくとも１つの固定ピンを含む、第１の固定支柱と、
前記固定リングスロットのうちの第２のスロット内に受け取り可能な第２の固定支柱であって、前記第２の固定支柱は、少なくとも１つの固定ピンを含む、第２の固定支柱と
を備えている、ことと、
患者の頭部の周りに前記頭部固定リングを位置付けることと、
前記第１の固定支柱を前記固定リングスロットのうちの第１のスロット内に調節可能に挿入することと、
前記第２の固定支柱を前記固定リングスロットのうちの第２のスロット内に調節可能に挿入することと、
前記患者の頭部に対して前記固定ピンを位置付けることにより、前記固定リングを前記患者の頭部に対して固定することと
を含む、方法。
（項目３１）
頭部固定システムを使用する方法であって、
進入点に対する軌道を確立するために、患者の頭部上に軌道誘導部を位置付けることと、
頭部固定デバイスを提供することであって、前記頭部固定デバイスは、
上側および下側表面を有する架台であって、前記架台は、ＭＲＩコイル受け取りトラックを含む、架台と、
前記架台の前記上側表面に動作可能に連結されているリング搭載部と、
前記リング搭載部に回転可能に連結されている固定リングであって、前記固定リングは、前記固定リングの円周回りに延在する複数の固定リングスロットを含む、固定リングと、
前記固定リングスロットのうちの第１のスロット内に受け取り可能な第１の固定支柱と、
前記固定リングスロットのうちの第２のスロット内に受け取り可能な第２の固定支柱であって、前記固定支柱は、１つ以上の固定ピンを含む、第２の固定支柱と、
を備えている、ことと、
患者の頭部の周りに前記固定リングを位置付けることと、
前記固定リングスロット内の前記第１および第２の固定支柱を調節することと、
前記固定ピンによって、前記固定支柱を前記患者の頭部に固定することと、
前記固定リングを前記リング搭載部内に係止することと、
前記固定リングを回転させ、前記進入点へのアクセスを提供することと、
ＭＲＩコイルを前記ＭＲＩコイル受け取りトラック内に位置付けることによって、前記ＭＲＩコイルを前記架台に取り付けることと、
ＭＲＩスキャンを行い、前記軌道を確認することと
を含む、方法。
本発明は、架台と、架台の上側表面から延在するリング搭載部に回転可能に連結された固定リングであって、その円周回りに延在する複数のスロットを含む固定リングと、固定リング内のスロットのうちの第１のスロット内に挿入するために構築された頭部支持部と、患者の頭蓋骨との係合のための第１の固定ピンを有する第１の固定支柱であって、固定リング内のスロットのうちの第２のスロット内に挿入するために構築された第１の固定支柱と、患者の頭蓋骨との係合のための第２の固定ピンを有する第２の固定支柱であって、固定リング内のスロットのうちの第３のスロット内に挿入するために構築された第２の固定支柱と、架台に除去可能に搭載された上部コイル部材および底部コイル部材を含むＭＲＩコイルであって、固定リングに対して、かつそれから独立して回転可能であるＭＲＩコイルとを含む頭部固定システムを提供することによって、前述の問題を解決する。